(57)【要約】【課題】マグネットワイヤを使用しながらエッジワイズコイルと同様な仕様のトランスで同様の大きさの電磁装置の実現を可能とした。【解決手段】フェライトコア１１の側面に、並列接続のマグネットワイヤー１２１〜１２３を並列接続したマグネットワイヤー１２を縦にした状態で複数層にわたり折り返し巻回することで高電圧発生用の二次コイルＬ２を構成する。二次コイルＬ２の折り返し前後の高圧と低圧間の絶縁を図るボビン１５，１６を配置する。このように構成された二次コイルＬ２を筐体１７に収納するとともに、充填剤１８を充填されて固化する。フェライトコア１１と対向する位置にある筐体１７の外周に溝１７１を形成し、溝１７１に一次コイルＬ１を形成する。マグネットワイヤー１２を用いながら二次コイルＬ２の絶縁を確保することで、二次コイルＬ２のコイル長を短く抑えながら高電圧、大電流の電磁装置を実現する。【選択図】図１
2010056117.tif 000002
【特許請求の範囲】
【請求項１】
磁性体と、
前記磁性体の側面に、断面が円形のマグネットワイヤーが複数層にわたり折り返し巻かれた高電圧発生用の二次コイルと、
前記二次コイル自身の折り返し前後の高圧と低圧間の絶縁を図る絶縁体と、
前記磁性体の側面に対向する位置に巻かれた一次コイルと、を具備し、
前記マグネットワイヤーは、前記磁性体側面に対して複数本を並列接続したものであることを特徴とする電磁装置。
【請求項２】
磁性体と、
前記磁性体の側面に、左右対称にマグネットワイヤーが複数層にわたり折り返し巻かれた高電圧発生用の二次コイルと、
前記二次コイル自身の折り返し前後の高圧と低圧間の絶縁を図る絶縁体と、
前記磁性体の側面に対向する位置に巻かれた一次コイルと、を具備し、
前記マグネットワイヤーは、前記磁性体側面に対して複数本を並列接続したものであることを特徴とする電磁装置。
【請求項３】
前記マグネットワイヤーは、前記磁性体側面に対して傾きを持った角度で複数本並列配置されたことを特徴とする請求項１または２記載の電磁装置。
【請求項４】
前記二次コイルの巻き始めと巻き終わりは、離れた位置としたことを特徴とする請求項１〜３のいずれかに記載の電磁装置。
【請求項５】
複数層の前記マグネットワイヤーの折り返し前後の高圧と低圧間には絶縁体が介挿されたことを特徴とする請求項１〜４のいずれかに記載の電磁装置。
【請求項６】
複数層の前記マグネットワイヤーの１層目と２層目の間の前記絶縁体は、前記一次コイルの巻き始め側に、該１次コイルの高さより高さのある鍔が一体形成された鍔付きのボビンであることを特徴とする請求項１〜５のいずれかに記載の電磁装置。
【請求項７】
前記一次コイルと前記二次コイルは、前記磁性体に対し重ならない位置関係に配置したことを特徴とする請求項１〜６のいずれかに記載の電磁装置。
【発明の詳細な説明】
【技術分野】
【０００１】
この発明は、高圧放電灯を点灯するランプ点灯装置等に用い、高圧パルス電圧を発生させる電磁装置に関する
【背景技術】
【０００２】
従来の電磁装置は、棒状のフェライトコアの側面に、絶縁部材の役目を果たすボビンを使用しないで、平角線がエッジワイズ巻きされた高電圧用の二次コイルを一層にして巻き、その上層に一次コイルが巻かれている。二次コイルは、巻き始めと巻き終わりの距離を離すことで低圧側と高圧側の絶縁距離を確保することで絶縁機能を向上させている。（例えば、特許文献１）
【特許文献１】特開２００６−１０８７２１公報
【発明の開示】
【発明が解決しようとする課題】
【０００３】
上記した特許文献１の技術は、２次コイルを１層で巻き、巻きはじめと巻き終わりの距離を離すことで低圧側と高圧側の絶縁距離を確保し絶縁機能を高めている。しかし高電圧、大電流に対応可能な平角線を用いたエッジワイズコイルは、その構造上価格が高くなるという課題があった。また、一般のマグネットワイヤーを用いて平角線と同規格を構成するには巻き回す線材が太くなり２次コイルのコイル長が長くなりコイルサイズが大きくなるという、問題があった。
【０００４】
この発明の目的は、マグネットワイヤを使用しながらエッジワイズコイルと同様な仕様のトランスで同様の大きさの電磁装置を提供することにある。
【課題を解決するための手段】
【０００５】
上記した課題を解決するために、この発明の電磁装置は、磁性体と、前記磁性体の側面に、断面が円形のマグネットワイヤーが複数層にわたり折り返し巻かれた高電圧発生用の二次コイルと、前記二次コイル自身の折り返し前後の高圧と低圧間の絶縁を図る絶縁体と、前記磁性体の側面に対向する位置に巻かれた一次コイルと、を具備し、前記マグネットワイヤーは、前記磁性体側面に対して複数本を並列接続したものであることを特徴とする。
【０００６】
また、電磁装置は、磁性体と、前記磁性体の側面に、左右対称にマグネットワイヤーが複数層にわたり折り返し巻かれた高電圧発生用の二次コイルと、前記二次コイル自身の折り返し前後の高圧と低圧間の絶縁を図る絶縁体と、前記磁性体の側面に対向する位置に巻かれた一次コイルと、を具備し、前記マグネットワイヤーは、前記磁性体側面に対して複数本を並列接続したものであることを特徴とする。
【発明の効果】
【０００７】
この発明によれば、断面が円形のマグネットワイヤーを使用して大きな電流が流せる小型の高圧放電灯を点灯するランプ点灯装置等の高圧パルス電圧を発生させるための電磁装置を実現することができる。
【発明を実施するための最良の形態】
【０００８】
以下、この発明を実施するための最良の形態について、図面を参照しながら詳細に説明する。
【０００９】
図１〜図８は、いずれもこの発明の電磁装置に関する一実施形態について説明するための、図１は断面図、図２は図１要部の断面図、図３は図１要部の斜視図、図４は図３要部の斜視図、図５は図１要部の斜視図、図６は図５の断面図、図７は図１要部の斜視図、図８は図１の回路図である。
【００１０】
先ず、図１において、１１は、例えば１０３Ω／ｍ以上の固有抵抗を有する円筒形状の磁性体であるフェライトコアである。このフェライトコア１１には、エナメル銅線、ポリウレタン銅線、ポリエステルイミド銅線などのマグネットワイヤー１２を用い、３層巻きして例えば４５ターン巻回することで、二次コイルＬ２が形成される。この場合のフェライトコア１１に巻回された状態のコイル長としては、１５ターン巻きされた長さとほぼ同じである。
【００１１】
マグネットワイヤー１２は、図２に示すように３本のマグネットワイヤー１２１〜１２３を横並びさせ、横並びにしたマグネットワイヤー１２１〜１２３を斜めにさせた状態で巻回する。マグネットワイヤー１２１〜１２３は、両端を接続することにより１本のマグネットワイヤーとして使用する。
【００１２】
このようなマグネットワイヤー１２の一端は、図３に示すようにフェライトコア１１の一端から係合孔１３１が係合された絶縁性の位置決め手段としての役割を果たす支持リング１３に一端が埋設された導電性の端子１４に接合する。支持リング１３には、図４にも示すように、係合孔１３１から外側に傾く傾斜部１３２が形成され、マグネットワイヤー１２を斜めにさせた状態で巻回させるガイドの役目を果たす。
【００１３】
二次コイルＬ２の１層目Ｌ２ａは、支持リング１３の傾斜部１３２の傾斜に沿った状態で、フェライトコア１１上を支持リング１３から離れる方向に１５ターンを密に直巻きする。
【００１４】
１層目Ｌ２ａの巻回後には、図５、図６にも示す絶縁性のボビン１５の連通孔１５１を積層する格好で挿入する。ボビン１５の一端には、例えば３つの鍔１５２〜１５４が、他端には鍔１５４側に傾斜部１５５を備えた鍔１５６がそれぞれ一体形成される。ボビン１５は、鍔１５２が支持リング１３の傾斜部１３２まで挿入する。１層目Ｌ２ａのマグネットワイヤー１２に繋がれたマグネットワイヤー１２は、ボビン１５の傾斜部１５５に形成された切欠き１５７からボビン１５の外側に導き出して傾斜部１５５に当て、傾斜に沿った状態でボビン１５上を鍔１５４方向に１５ターンを密に直巻きする。
【００１５】
さらに、２層目Ｌ２ｂには、図７にも示す底１６１を有する絶縁性のボビン１６の開口部１６２からボビン１５の鍔１５６から挿入する。ボビン１６の開口部１６２付近の外周には、鍔１６３が形成され、この鍔１６３には底１６１と反対方向に傾く傾斜部１６４が一体形成される。
【００１６】
２層目Ｌ２ｂを形成するマグネットワイヤー１２に繋がれたマグネットワイヤー１２は、ボビン１６に形成された切欠き１６５を通してボビン１６の外側に導き出し傾斜部１６４に当て、傾斜に沿った状態でボビン１６上を鍔１６３から離れる方向に１５ターンを密に巻回して３層目Ｌ２ｃを形成する。
【００１７】
３層目Ｌ２ｃの巻き終わり部分のマグネットワイヤー１２は、３本のマグネットワイヤー１２１〜１２３を電気的に接続した状態で図示しない端子を介して外部と接続可能とする。この巻き終わりに接続された端子は、巻き始めの低圧側の端子１４に対し高圧であるが、位置が離れており充分な絶縁距離の確保ができるものである。
【００１８】
ボビン１５の鍔１５２〜１５４それにボビン１６の鍔１６３の高さは、３層目Ｌ２ｃが巻回された状態で、３層目Ｌ２ｃよりもやや高くなる程度の形状とする。また、鍔１５２と１５３の間と鍔１５３と１５４の間にそれぞれ形成された谷部１５２３と１５３４は、鍔１５２〜１５４の高さと同様の深さとする。
【００１９】
このように形成された二次コイルＬ２の外部は、例えば樹脂製の筐体１７で覆い被せる。筐体１７には絶縁性の充填剤１８を充填し、筐体１７内に構成される二次コイルＬ２の絶縁性を向上させている。
【００２０】
フェライトコア１１と筐体１７を介して対向する位置には一次コイルＬ１が数ターン巻回される。一次コイルＬ１は、筐体１７の外周に形成させた溝１７１に直巻きし、巻回後は溝１７１に硬化性の樹脂を充填することで、一次コイルＬ１が筐体１７に確実に支持されるようにしている。
【００２１】
ボビン１５の鍔１５２〜１５４は、二次コイルＬ２の巻き始め部と２層目Ｌ２ｂから３層目Ｌ２ｃの折り返す中間部との沿面距離を確保する目的で形成している。
【００２２】
二次コイルＬ２と一次コイルＬ１がフェライトコア１１を通して電磁的な結合がなされることで、図８に示す回路のトランスＴが構成される。
【００２３】
上記した構成により、マグネットワイヤー１２１〜１２３を合計した二次コイルＬ２の断面積は、平角線をエッジワイズ巻きした状態とほぼ同様となり、断面が円形のマグネットワイヤーを用いて高電圧や大電流に対応させる短長コイルを形成することが可能となる。また、巻き始めの低圧側と巻き終わりの高圧側の距離を離すことで、低圧側と高圧側の絶縁距離を確保でき絶縁機能を向上させ、二次コイルのコイル長を短く抑えながら高電圧、大電流の電磁装置を実現することができる。これは巻き線の電圧差が大きな部分に絶縁体であるボビン１５とボビン１６が組み合わさり絶縁を確保していることによる。
【００２４】
なお、筐体１７は、二次コイルＬ２と一次コイルＬ１の絶縁を確保するためのものであることから、単に絶縁テープを巻き付けた場合であっても同様の機能を果たすことが可能である。
【００２５】
この実施形態は、安価な複数のマグネットワイヤーを並列接続した状態で使用することにより、平角線をエッジワイズ巻きした状態とほぼ同様の断面積を確保することが可能となる。また、並列接続の複数のマグネットワイヤーの二次コイルを折り返して巻き、折り返し前後の低圧部分と高圧部分の距離が近接する箇所には筒状の絶縁体を配置させることで、二次コイルの絶縁を確保しながら二次コイルのコイル長を短く抑えた高電圧、大電流の電磁装置の実現を図ることできる。
【００２６】
さらに、並列接続された複数のマグネットワイヤーをフェライトコアに対して傾斜させる状態で巻回させたことにより、二次コイルの巻厚を抑えることができ、電磁装置の小型化にも寄与する。
【００２７】
図９は、この発明の電磁装置に関する一実施形態を、高圧放電ランプの点灯装置に適用した例について説明するための回路図である。
【００２８】
図９において、電源Ｖｉｎは直流電圧を発生する。また、電源Ｖｉｎは定電力を発生する。電源Ｖｉｎは、例えば定電力制御チョッパ回路の出力平滑コンデンサ等によって構成する。
【００２９】
電源Ｖｉｎの正極性出力端は電源ラインを介してＭＯＳ型トランジスタＱ１，Ｑ３の各ドレインに接続される。また、電源Ｖｉｎの負極性出力端は基準電位ラインを介してＭＯＳ型トランジスタＱ２，Ｑ４の各ソースに接続される。トランジスタＱ１のソースとトランジスタＱ２のドレインとは相互に接続される。また、トランジスタＱ３のソースとトランジスタＱ４のドレインとは相互に接続される。
【００３０】
これらのトランジスタＱ１〜Ｑ４は、電源Ｖｉｎからの直流電圧を交流電圧に変換するブリッジ型のＤＣ／ＡＣインバータを構成する。
【００３１】
トランジスタＱ１のソースとトランジスタＱ２のドレインとの第１の接続点Ｐ１は、一次コイルＬ１の一端、初段昇圧回路９１およびコンデンサＣ１を含む第１の回路部を介して、トランジスタＱ３のソースとトランジスタＱ４のドレインとの第２の接続点Ｐ２に接続される。一次コイルＬ１の他端は初段昇圧回路９１に接続される。また、第１の接続点Ｐ１と第２の接続点Ｐ２との間には、二次コイルＬ２およびランプＬＰとの第２の回路部が接続される。ランプＬＰとしては高圧放電灯が採用される。
【００３２】
ここで、図９のトランスＴは、一次コイルＬ１、二次コイルＬ２、フェライトコア１１からなる図１〜図８で説明した電磁装置に相当する。
【００３３】
一次コイルＬ１の一端とコンデンサＣ１との間には初段昇圧回路９１のコイルＬａが接続される。また、一次コイルＬ１の他端は、放電ギャップＧおよびコンデンサＣ２を直列接続にし、トランスＬｂの一端および一次コイルＬ１の他端に接続される。トランスＬｂの他端は図示極性のダイオードＤ１を介して放電ギャップＧとコンデンサＣ２の接続点に接続される。コイルＬａ，Ｌｂはトランスを構成する。
【００３４】
コンデンサＣ１は、振動波形形成および電流制限のために設けられる。また、一次コイルＬ１，二次コイルＬ２によって構成されるトランスＴは、一次コイルＬ１を一次側とし、二次コイルＬ２を二次側とする。二次コイルＬ２の巻数は一次コイルＬ１の巻数のｎ倍（ｎは正数）に設定される。巻数比ｎとしては、例えば数倍から数百倍の値が設定される。
【００３５】
ランプ始動時、電源ラインに正極性出力を、基準電位ラインに負極性出力をそれぞれ供給させる電源Ｖｉｎは、ＤＣ／ＡＣインバータを構成するトランジスタＱ１〜Ｑ４に供給される。ランプＬＰの点灯開始時は、トランジスタＱ１〜Ｑ４の駆動周波数として第１の高い周波数を設定する。この第１の高い周波数の制御信号をトランジスタＱ１〜Ｑ４に与えて、オン・オフさせる。
【００３６】
ブリッジ回路は、トランジスタＱ１，Ｑ４を同時にオン・オフ制御させ、トランジスタＱ２，Ｑ３を同時にオン・オフ制御させる。なお、短絡防止のために、短時間だけ、トランジスタＱ１〜Ｑ４が全てオフの状態が設定される。
【００３７】
トランジスタＱ１，Ｑ４がオンの場合には、電源Ｖｉｎの正極性出力端から、トランジスタＱ１、一次コイルＬ１、コイルＬａ、コンデンサＣ１およびトランジスタＱ４を介して負極性出力端に電流が流れる。逆に、トランジスタＱ２，Ｑ３がオンの場合には、電源Ｖｉｎの正極性出力端から、トランジスタＱ３、コンデンサＣ１、コイルＬａ、一次コイルＬ１およびトランジスタＱ２を介して負極性出力端に電流が流れる。
【００３８】
トランジスタＱ１，Ｑ４がオンの場合には、一次コイルＬ１およびコイルＬａを介してコンデンサＣ１が充電され、コンデンサＣ１の端子電圧が略電源Ｖｉｎの電圧Ｖｉｎまで上昇する。次に、一次コイルＬ１およびコイルＬａに生じた逆起電力によって、コンデンサＣ１の端子電圧は、一次コイルＬ１，コイルＬａに生じた電圧ＶＬ１＋ＶＬａが加算されて、Ｖｉｎ＋ＶＬ１＋ＶＬａまで上昇する。次に、一次コイルＬ１，コイルＬａとコンデンサＣ１との間において自由振動が発生し、コンデンサＣ１の端子電圧は極性を変えながら、所定値に収束する。トランジスタＱ２，Ｑ３がオンの場合にも、トランジスタＱ１，Ｑ４がオンの場合と同様の動作が行われる。
【００３９】
これにより、コイルＬａに生じた電圧によって、コイルＬｂに巻数比に応じた電圧を発生させることができる。
【００４０】
コイルＬｂの電圧は、ダイオードＤ１によって整流されて、コンデンサＣ２に電荷が蓄積される。コンデンサＣ２は、トランジスタＱ１，Ｑ４とトランジスタＱ２，Ｑ３とがオン・オフしてブリッジ回路の導通路が切換わる、ブリッジ回路の極性反転動作毎に充電が繰り返される。これにより、コンデンサＣ２の端子電圧が次第に上昇する。コンデンサＣ２の端子電圧が放電ギャップＧのギャップ電圧Ｖｇまで上昇すると、放電ギャップＧにおいて放電が発生し、コンデンサＣ２、放電ギャップＧおよび一次コイルＬ１のループで電流が流れ、電磁誘導により二次コイルＬ２に十分大きなランプ始動電圧が発生する。二次コイルＬ２に発生する電圧がランプＬＰに印加される。
【００４１】
また、ブリッジ回路の極性反転動作毎に一次コイルＬ１にも電圧が発生するので、一次コイルＬ１と二次コイルＬ２の巻数比に応じた電圧が二次コイルＬ２に発生し、ランプＬＰの両端に印加される。
【００４２】
このように、トランジスタＱ１，Ｑ４とトランジスタＱ２，Ｑ３とのオン・オフを第１の高い周波数で駆動することにより、初段昇圧回路９１が昇圧動作を行い、コンデンサＣ２の端子電圧が上昇する。この昇圧動作はブリッジ回路の極性反転動作に同期して行われる。一例として数回から数万回の動作でコンデンサＣ２が放電ギャップ電圧Ｖｇに到達して放電が行われる。
【００４３】
放電ギャップＧが放電することでコンデンサＣ２電圧が一次コイルＬ１に印加され、トランスＴの電磁誘導作用により二次コイルＬ２に高電圧が発生し、ランプＬＰに高電圧が印加される。
【００４４】
さらに、このような高電圧発生動作とは別の時間に、ブリッジ回路の極性反転動作毎に一次コイルＬ１に印加される電圧が、一次コイルＬ１と二次コイルＬ２との巻き数比に応じて二次コイルＬ２に電磁誘導される。これにより、ランプＬＰ両端には比較的低い高電圧が発生する。
【００４５】
つまり、ブリッジ回路の極性反転動作毎に、二次コイルＬ２に比較的低い高電圧が発生してランプＬＰに印加可能であるとともに、数回から数万回の極性反転動作に同期して、二次コイルＬ２に高電圧が発生してランプＬＰに印加可能である。二次コイルＬ２に発生した低電圧によってランプＬＰが点灯すると、以後、第１の回路部に流れる電流は十分に小さくなって、二次コイルＬ２にはランプＬＰを点灯させる程の比較的大きな電圧が発生することはない。
【００４６】
また、二次コイルＬ２に発生した比較的低い高電圧ではランプＬＰが点灯しない場合でも、極性反転動作が繰り返されることによって二次コイルＬ２に高電圧が発生するので、これにより、ランプＬＰは確実に点灯する。ランプＬＰが点灯すると、以降二次コイルＬ２にはランプＬＰを点灯させる程の比較的大きな電圧が発生することはない。
【００４７】
このように、始動時においては、ブリッジ回路の極性反転動作時に一次コイルＬ１およびコイルＬａとコンデンサＣ１との自由振動動作によりコンデンサＣ２に昇圧動作を発生させると同時にトランスＴにも昇圧動作が発生する。そして、この自由振動時に、コイルＬａに印加される電圧がコイルＬａとＬｂの巻数比に応じた昇圧作用によりコイルＬｂに誘導される。その電圧がダイオードＤ１により整流されコンデンサＣ２に充電される。なお、上述したように、一次コイルＬ１とコイルＬａとコンデンサＣ１の自由振動は次の極性反転までに収束し、電流は略ゼロとなる。
【００４８】
そして、ランプＬＰへの始動電圧は、ブリッジ回路の極性反転動作毎に発生可能な比較的低い高電圧と放電ギャップが放電する毎に発生可能な高圧電圧の２種類となる。これにより、ランプ温度が低い場合等のランプ始動が起こりやすい条件では低電圧での始動が可能となり、ランプの温度が高い場合等のランプ始動が起こりにくい条件では高電圧での始動が行われる。
【００４９】
このような点灯回路の高圧を発生させるトランスＴを構成する一次コイルＬ１、二次コイルＬ２として、マグネットワイヤーを用いながら平角線をエッジワイズ巻きした状態とほぼ同様のコイル長の短い高電圧、大電流に対応可能な電磁装置を使用することで、省スペース化と廉価な回路構成化に寄与する。
【００５０】
図１０〜図１２は、この発明の電磁装置に関する他の実施形態について説明するための、図１０は断面図、図１１（ａ）は図１０要部の斜視図、図１１（ｂ）は図１１（ａ）の側面図、図１２は図１０の回路図である。この実施形態は、１つの一次コイルに２つの二次コイルを形成するもので、上記した実施形態と同一の機能部分には同一の符号を付し、その説明は省略する。
【００５１】
図１０において、フェライトコア１１の中間部に支持リング１３Ａを装着し、この支持リング１３Ａの両側に第１および第２の二次コイルＬ２１，Ｌ２２を形成する。第１および第２の二次コイルＬ２１，Ｌ２２は、二次コイルＬ２のフェライトコア１１と支持リング１３Ａを共通に使用しただけで他の構成は図１と同じである。支持リング１３Ａは、図１１（ａ），（ｂ）に示すように両側に傾斜部１３２を形成している。
【００５２】
すなわち、第１の二次コイルＬ２１は、マグネットコイル１２Ａを端子１４１から巻き始め、フェライトコア１１に１５ターン直巻きして１層目Ｌ２ａとする。１層目Ｌ２ａ上に図５のボビン１５を嵌合させて、切欠き１５７を通して折り返しし、ボビン１５面に１５ターン巻回し２層目Ｌ２ｂとする。２層目Ｌ２ｂに図７のボビン１６を嵌合させて、切欠き１６５を通して折り返しし、ボビン１５の鍔１５４から遠ざかる方向のボビン１６の外周面上に密に１５ターン巻回し３層目Ｌ２ｃとする。
【００５３】
同じように、第２の二次コイルＬ２２は、マグネットコイル１２Ｂを端子１４２から巻き始め、フェライトコア１１に１５ターン直巻きして１層目Ｌ２ａとする。１層目Ｌ２ａ上に図５のボビン１５を嵌合させて、切欠き１５７を通して折り返しし、ボビン１５面に１５ターン巻回し２層目Ｌ２ｂとする。２層目Ｌ２ｂに図７のボビン１６を嵌合させて、切欠き１６５を通して折り返しし、ボビン１５の鍔１５４から遠ざかる方向のボビン１６の外周面上に密に１５ターン巻回し３層目Ｌ２ｃとする。
【００５４】
フェライトコア１１に支持リング１３Ａが取り付けられた付近と対向する筐体１７の外周形成された溝１７１には一次コイルＬ１が直に数ターン巻回される。巻回後は溝１７１に硬化性の樹脂を充填することで、一次コイルＬ１が筐体１７に確実に支持されるようにしている。
【００５５】
このように、第１および第２の二次コイルＬ２１，Ｌ２２と一次コイルＬ１がフェライトコア１１を通して電磁的な結合がされることで、図８に示す等価回路のトランスＴを実現することができる。
【００５６】
なお、支持リング１３Ａは第１および第２の二次コイルＬ２１，Ｌ２２兼用としたが、別部材であっても構わない。
【００５７】
この実施形態では、共通のフェライトコアで第１および第２の二次コイルを構成する電磁装置においても、安価な複数のマグネットワイヤーを並列接続した状態で使用することにより、平角線をエッジワイズ巻きした状態とほぼ同様の断面積を確保することが可能となる。また、並列接続の複数のマグネットワイヤーの二次コイルを折り返して巻き、折り返し前後の低圧部分と高圧部分の距離が近接する箇所には筒状の絶縁体を配置させることで、二次コイルの絶縁を確保しながら二次コイルのコイル長を短く抑えた高電圧、大電流の電磁装置の実現を図ることできる。
【００５８】
さらに、並列接続された複数のマグネットワイヤーをフェライトコアに対して傾斜させる状態で巻回させたことにより、二次コイルの巻厚を抑えることができ、電磁装置の小型化にも寄与する。
【００５９】
この実施形態は、安価な複数のマグネットワイヤーを並列接続した状態で使用することにより、平角線をエッジワイズ巻きした状態とほぼ同様の断面積を確保することが可能となる。また、並列接続の複数のマグネットワイヤーの二次コイルを折り返して巻き、折り返し前後の低圧部分と高圧部分の距離が近接する箇所には筒状の絶縁体を配置させることで、二次コイルの絶縁を確保しながら二次コイルのコイル長を短く抑えた高電圧、大電流の電磁装置の実現を図ることできる。
【００６０】
さらに、並列接続された複数のマグネットワイヤーをフェライトコアに対して傾斜させる状態で巻回させたことにより、二次コイルの巻厚を抑えることができ、電磁装置の小型化にも寄与する。
【００６１】
図１３は、図１０〜図１２で説明したこの発明の電磁装置を、高圧放電ランプの点灯装置に適用した例について説明するための、図９に相当する回路図である。この回路図は、ランプＬＰと第２の接続点Ｐ２との間に、一次コイルＬ１とフェライトコア１１を共通とする第２の二次コイルＬ２２を形成した点が異なるだけであり、ここではこの異なる点について説明する。
【００６２】
この適用例に使用されるトランスＴの第１および第２の二次コイルＬ２１とＬ２２の巻き数は同じにしてある。そして第１の二次コイルＬ２１の高電圧側のコイル端はランプＬＰの一端に、第２の二次コイルＬ２２の高電圧側のコイル端はランプＬＰの他端に接続される。
【００６３】
この構成の場合、トランスＴの第１の二次コイルＬ２１のコイル端と第２の二次コイルＬ２２のコイル端に発生し、ランプＬＰの両端に印加される電圧は、正と負の極性を有する。ランプＬＰの印加電圧は、第１の二次コイルＬ２１と第２の二次コイルＬ２２にそれぞれ発生した電圧が加算（減算）された値となる。このため、上記した一実施形態の第１の二次コイルＬ２１の巻き数で発生させた電圧と同じランプＬＰに印加したとすれば、この実施形態では第１の二次コイルＬ２１の巻き数を半分とし、これと同じ巻き数の第２の二次コイルＬ２２とすればよいことになる。
【００６４】
このような点灯回路の高圧を発生させるトランスＴを構成する一次コイルＬ１、第１および第２の二次コイルＬ２１，Ｌ２２として、この発明の電磁装置を使用することにより、省スペース化とコストダウンの向上に寄与することができる。
【００６５】
この発明は、上記した実施形態に限定されるものではない。例えば、複数本のマグネットワイヤーは、それぞれの被覆を共通化し、一体構造としても構わない。
【図面の簡単な説明】
【００６６】
【図１】この発明の電磁装置に関する一実施形態について説明するための断面図。
【図２】図１要部の断面図。
【図３】図１要部の斜視図。
【図４】図３要部の斜視図。
【図５】図１要部の斜視図。
【図６】図５の断面図。
【図７】図１要部の斜視図。
【図８】図１の等価回路図。
【図９】図１〜図８で説明した電磁装置を高圧放電ランプの点灯装置に適用した例について説明するための回路図。
【図１０】この発明の電磁装置に関する他の実施形態について説明するための断面図。
【図１１】（ａ）は図１０要部の斜視図、（ｂ）は（ａ）の側面図。
【図１２】図１０の等価回路図。
【図１３】図１０〜図１２で説明した電磁装置を高圧放電ランプの点灯装置に適用した例について説明するための回路図。
【符号の説明】
【００６７】
１１  フェライトコア
１２，１２１〜１２３，１２Ａ，１２Ｂ  マグネットワイヤー
１３，１３Ａ  支持リング
１３２，１５５，１６４  傾斜部
１４，１４１，１４２  端子
１５，１６  ボビン
１５２〜１５４  鍔
１５７，１６５  切欠き
１４１２  谷部
１７  筐体
１７１  溝
１８  
Ｌ１  一次コイル
Ｌ２  二次コイル
Ｌ２１  第１の二次コイル
Ｌ２２  第２の二次コイル
Ｌ２ａ  １層目
Ｌ２ｂ  ２層目
Ｌ２ｃ  ３層目
【図１】
2010056117.tif 000003
【図２】
2010056117.tif 000004
【図３】
2010056117.tif 000005
【図４】
2010056117.tif 000006
【図５】
2010056117.tif 000007
【図６】
2010056117.tif 000008
【図７】
2010056117.tif 000009
【図８】
2010056117.tif 000010
【図９】
2010056117.tif 000011
【図１０】
2010056117.tif 000012
【図１１】
2010056117.tif 000013
【図１２】
2010056117.tif 000014
【図１３】
2010056117.tif 000015